(57)【要約】【課題】  複数の装置が相互に接続されたネットワークシステムに置いて任意の装置に所望の国に関する情報を容易に設定する。【解決手段】  ユーザは、装置１０の操作部を操作して、国（例えば、米国）情報を入力する。装置１０は、入力された国情報に対応する情報設定指示書を、国別情報設定指示書格納サーバ６０の中から検索する。そして、装置１０は、米国情報設定指示書を検索した後、国別情報設定指示書格納サーバ６０から米国情報設定指示書を読み出して格納する。装置１０は、米国情報設定指示書に基づいて、当該装置１０に関する言語情報、文字情報、用紙サイズ情報を設定する。【選択図】        図１
2005182262.tif 000002
【特許請求の範囲】
【請求項１】
所定の処理を行う複数のサービス処理装置がネットワークを介して相互に接続されたネットワークシステムにおいて、
国に応じて変化するパラメータをある国に対応するように指示するための設定指示情報を国毎に記憶する設定指示情報記憶装置を備え、
前記サービス処理装置は、前記設定指示情報記憶装置から所定の国に対応する設定指示情報を読み出し、読み出した設定指示情報に基づいて国に対応するパラメータを設定すること
を特徴とするネットワークシステム。
【請求項２】
前記サービス処理装置は、前記所定の国を入力する入力手段と、前記入力手段に入力された所定の国に対応する設定指示情報を前記設定指示情報記憶装置の中から検索する検索手段と、前記検索手段により検索された設定指示情報を読み出して国に対応するパラメータを設定する設定手段と、を備えたこと
を特徴とする請求項１に記載のネットワークシステム。
【請求項３】
前記設定指示情報は、少なくとも国で使用する言語情報又は国で使用する言語の文字情報を含んでいること
を特徴とする請求項１または請求項２に記載のネットワークシステム。
【発明の詳細な説明】
【技術分野】
【０００１】
本発明は、ネットワークシステムに係り、特に、任意のサービス処理装置に対して国別に固有の情報を設定するネットワークシステムに関する。
【背景技術】
【０００２】
従来、要求元であるクライアントと実行元であるサーバとの間で連携して１つの処理を行うネットワークシステムにおいて、入出力機能及びプログラムを容易に変更する技術が提案されている（例えば、特許文献１を参照。）。
【０００３】
特許文献１に記載された技術は、ネットワークに接続された各機器からそれぞれの機器に対する連携サービス情報を収集し、その連携サービス情報に基づいて、それぞれの機器上で動作する入出力機能およびプログラムをそれぞれの機器に対して予約し、予約されたそれぞれの機器の入出力機能およびプログラムをネットワーク上で連携させて実行する。
【０００４】
これにより、特許文献１に記載された技術では、ネットワークに接続されたそれぞれの機器上で動作する入出力機能およびプログラムが個々の利用者の利用方法に応じて組み合わせられ、それぞれの機器における入出力機能やプログラムの連携処理手順を変更することなく利用者の利用方法に適した処理の連携ができるようになる。
【０００５】
そして、このような技術を用いることにより、例えば、国情報、使用する言語、文字、フォント、用紙サイズなどのパラメータをサーバに格納し、ネットワークを介して接続されている各々の装置が、国情報、使用する言語、文字、フォント、用紙サイズなどのパラメータを上記サーバから一度にダウンロードすることができる。
【０００６】
このように、従来、サーバの持つ情報に基づいて、各装置に対して一括して国別仕様を設定していた。
【特許文献１】特開２００１−３０６５３４号公報
【発明の開示】
【発明が解決しようとする課題】
【０００７】
ところで、１つのオフィスに複数の装置（クライアント、サーバなど）を設置する場合では、いくつかの装置のみ国別仕様の異なる設定をしたい場合（例えば１つの装置のみ中国仕様、他の装置は全て日本仕様で設定を行うような場合）がある。
【０００８】
このような場合、任意の装置に異なる設定情報を指定したい場合であっても、あらかじめ全ての装置に関してパラメータを全て設定しなければならかった。また、国別情報に関係のないパラメータまで設定する必要があり、大変繁雑であった。
【０００９】
本発明は、上述した課題を解決するために提案されたものであり、複数の装置が相互に接続されたネットワークシステムにおいて任意の装置に所望の国に関する情報を容易に設定することができるネットワークシステムを提供することを目的とする。
【課題を解決するための手段】
【００１０】
上述した課題を解決するため、請求項１に記載された発明であるネットワークシステムは、所定の処理を行う複数のサービス処理装置がネットワークを介して相互に接続されたネットワークシステムにおいて、国に応じて変化するパラメータをある国に対応するように指示するための設定指示情報を国毎に記憶する設定指示情報記憶装置を備え、前記サービス処理装置は、前記設定指示情報記憶装置から所定の国に対応する設定指示情報を読み出し、読み出した設定指示情報に基づいて国に対応するパラメータを設定することを特徴とする。
【００１１】
サービス処理装置は、所定の処理を行うものをいい、例えば、コピー機、スキャナ、ファクシミリ装置、これらの３つの機能を備えた複合機、アプリケーションソフトがインストールされたコンピュータなど、特に限定されるものではない。
【００１２】
設定指示情報記憶装置は、国毎に区別された設定指示情報を記憶している。設定指示情報は、国に応じて変化するパラメータをある国に対応するように指示するための情報である。国に応じて変化するパラメータは、各々のサービス処理装置で使用される。このようなパラメータは、例えば、言語情報、文字情報（フォント情報を含む。）、用紙サイズ、時刻表記、日付表記、通貨などが該当するが、これらのうちの任意のものでもよいし、特に限定されるものではない。
【００１３】
ここで、ネットワークを介して相互に接続された各々のサービス処理装置は、通常、同一の初期状態に設定される。ただし、任意のサービス処理装置については、所定の国の仕様に設定したい場合がある。そこで、任意のサービス処理装置は、設定指示情報記憶装置から所定の国に対応する設定指示情報を読み出し、読み出した設定指示情報に基づいて国に対応するパラメータを設定する。
【００１４】
したがって、請求項１に記載された発明によれば、所定の国の設定指示情報を設定指示情報記憶装置から読み出すことによって、任意のサービス処理装置を所定の国の仕様に設定することができる。
【００１５】
請求項２に記載された発明であるネットワークシステムは、請求項１に記載のネットワークシステムにおいて、前記サービス処理装置は、前記所定の国を入力する入力手段と、前記入力手段に入力された所定の国に対応する設定指示情報を前記設定指示情報記憶装置の中から検索する検索手段と、前記検索手段により検索された設定指示情報を読み出して国に対応するパラメータを設定する設定手段と、を備えたことを特徴とする。
【００１６】
入力手段は、ユーザの操作に従って、所定の国を入力する。検索手段は、設定指示情報記憶装置に国別に記憶されている設定指示情報の中から、入力手段に入力された所定の国に対応する設定指示情報を検索する。設定手段は、検索された設定指示情報を設定指示情報記憶装置から読み出して、この設定指示情報に基づいてパラメータを設定する。
【００１７】
したがって、請求項２に記載された発明によれば、ユーザが所望する国の設定指示情報を設定指示情報記憶装置から読み出して、任意のサービス処理装置を所望の国の仕様になるように設定することができる。
【００１８】
請求項３に記載されたネットワークシステムは、請求項１または請求項２に記載のネットワークシステムにおいて、前記設定指示情報は、少なくとも国で使用する言語情報又は国で使用する言語の文字情報を含んでいることを特徴とする。
【発明の効果】
【００１９】
本発明に係るネットワークシステムは、任意のサービス処理装置が所定の国の設定指示情報を設定指示情報記憶装置から読み出すことによって、当該任意のサービス処理装置を所定の国の仕様に設定することができる。
【発明を実施するための最良の形態】
【００２０】
以下、本発明の好ましい実施の形態について図面を参照しながら詳細に説明する。
【００２１】
図１は、本発明の実施の形態に係るネットワークシステム１の構成を示す図である。
【００２２】
ネットワークシステム１は、装置１０，２０，３０，４０と、各装置に共通する初期設定情報を格納する初期設定情報格納サーバ５０と、国別の情報設定指示書を格納する国別情報設定指示書格納サーバ６０と、を備えている。
【００２３】
装置１０，２０，３０，４０は、それぞれ同一のデバイスであってもよいし、異なるデバイスであってもよい。デバイスとしては、例えば、コピー機、スキャナ、ファクシミリ装置、これらの３つの機能を備えた複合機、アプリケーションソフトウェアがインストールされたコンピュータなど、特に限定されるものではない。なお、本実施形態では、装置１０，２０，３０，４０は同一に構成されているものとする。
【００２４】
図２は、装置１０の構成を示すブロック図である。装置１０は、ネットワーク５との間でデータの送受信を行うＩ／Ｏ（Ｉｎｐｕｔ／Ｏｕｔｐｕｔ）ポート１１と、文章や記号等を入力する操作部１２と、ワークエリアとしてデータを一時格納するＲＡＭ（Ｒａｎｄｏｍ  Ａｃｃｅｓｓ  Ｍｅｍｏｒｙ）１３と、所定のデータ処理や全体の動作を制御するＣＰＵ（Ｃｅｎｔｒａｌ  Ｐｒｏｃｅｓｓｉｎｇ  Ｕｎｉｔ）１４と、ＣＰＵ１４の制御プログラムを記憶するＲＯＭ（Ｒｅａｄ  Ｏｎｌｙ  Ｍｅｍｏｒｙ）１５と、所定のアプリケーションプログラムや所定のデータ等を記憶したり読み出すハードディスクドライブ１６と、送受信されるデータの内容等を表示するモニタ１７と、を備えている。
【００２５】
操作部１２は、ユーザの操作に応じて、ユーザの意図する情報を入力できれば特に限定されるものではなく、例えば、ポインティングデバイス、キーボード、プッシュボタンなどであってもよい。モニタ１７は、情報を表示することができればよく、ＣＲＴ、ＬＣＤなど特に限定されるものではない。
【００２６】
初期設定情報格納サーバ５０は、装置１０，２０，３０，４０に共通して設定するための情報である初期設定情報（日本仕様）を記憶している。初期設定情報としては、一括して初期設定するための情報であればよく、例えば、オペレーティングシステム、アプリケーションソフトウェア、これらで使用する日本国情報、日本語情報、文字情報（例えば、フォント情報など）、用紙サイズ情報がある。
【００２７】
国別情報設定指示書格納サーバ６０は、国毎に、情報設定指示書を記憶している。なお、図１では、国別情報設定指示書格納サーバ６０は、米国、中国、独国の各々の情報設定指示書を記憶しているが、これらの国に限定されないのは勿論である。
【００２８】
情報設定指示書は、国に応じて変化するパラメータをある国に対応するように設定するための情報である。例えば、言語情報、文字情報、用紙サイズ情報は、国に応じて変化するパラメータである。そこで、情報設定指示書は、自身が有する国情報に応じて、言語情報、文字情報、用紙サイズ情報等のパラメータを設定することを指示する。例えば、中国情報設定指示書は、自身が中国情報を有し、この中国情報に応じて、装置の言語情報、文字情報、用紙サイズ情報を設定することを指示する。
【００２９】
このように構成されたネットワークシステム１において、装置１０のみを米国仕様に設定し、他の装置２０，３０，４０を標準仕様（日本仕様）に設定する例を説明する。
【００３０】
最初に、例えば装置１０は、初期設定情報格納サーバ５０から初期設定情報を一括してダウンロードする。そして、装置１０は、この初期設定情報に基づいて、アプリケーションソフトウェア、言語情報、文字情報、用紙サイズ情報などの日本仕様の初期設定を行う。なお、装置２０，３０，４０も同様にして、日本仕様の初期設定を行う。
【００３１】
次に、ユーザは、装置１０の操作部１２を操作して、国（例えば、米国）情報を入力する。ＣＰＵ１４は、操作部１２に入力された国情報に対応する情報設定指示書を、国別情報設定指示書格納サーバ６０の中から検索する。そして、ＣＰＵ１４は、米国情報設定指示書を検索した後、国別情報設定指示書格納サーバ６０から米国情報設定指示書を読み出して、ＨＤＤ１６に格納する。そして、ＣＰＵ１４は、米国情報設定指示書に基づいて、当該装置１０に関する言語情報、文字情報、用紙サイズ情報を設定する。
【００３２】
これにより、装置１０は、例えば、ＯＳ、アプリケーションソフトで使用する言語、文字（フォント）、用紙サイズ等を米国仕様にした状態で、所定の処理を実行することができる。
【００３３】
以上のように、本実施形態に係るネットワークシステム１は、国別に設定が異なるパラメータをある国に対応するように指示するための情報設定指示書が国別に保存された国別情報設定指示書格納サーバ６０を備えている。そして、任意の装置は、ある国を指定して、指定した国に対応する情報設定指示書を国別情報設定指示書格納サーバ６０からダウンロードして、その情報設定指示書に基づいてパラメータを設定できる。これにより、一度に複数の装置を設置する際に、任意の装置に対して他と異なる国別設定を簡単に行うことができる。
【００３４】
なお、本発明は、上述した実施の形態に限定されるものではなく、特許請求の範囲に記載された範囲内で設計上の変更をされたものにも適用可能であるのは勿論である。
【００３５】
例えば、上述した実施の形態では装置１０，２０，３０，４０は各々同一の構成であるものとして説明したが、装置１０，２０，３０，４０の各々にいおて設定すべき情報が共通していれば、同一の構成でなくてもよい。また、国別の情報設定指示書によって指定可能なパラメータとしては、上記のほかに例えば、時刻表記、日付表記、通貨であってもよい。
【図面の簡単な説明】
【００３６】
【図１】本発明の実施の形態に係るネットワークシステムの構成を示す図である。
【図２】装置の構成を示すブロック図である。
【符号の説明】
【００３７】
１  ネットワークシステム
１０，２０，３０，４０  装置
５０  初期設定情報格納サーバ
６０  国別情報設定指示書格納サーバ
【図１】
2005182262.tif 000003
【図２】
2005182262.tif 000004